(57)【要約】【課題】１００万画素以上の高密度の固体撮像素子を用いるデジタルスチルカメラ等に適した、小型及び薄型で安価な高性能の撮像レンズを提供する。【解決手段】物体側から像面側に向けて順に、所定の口径をなす開口絞り４、物体側に凸面を向け正の屈折力をもつ第１レンズ１、物体側に凹面を向け正の屈折力をもつ第２レンズ２、物体側に凹面を向け負の屈折力をもつ第３レンズ３を備え、第２レンズ２は、物体側及び像面側の両面Ｓ４，Ｓ５が非球面に形成され、第３レンズ３は、物体側及び像面側の両面Ｓ６，Ｓ７が非球面に形成され、かつ、像面側の非球面Ｓ７における有効径の範囲内において曲率の向きが変化する変曲点をもつように形成されている。これにより、適切なバックフォーカスを確保しつつ、レンズ系の全長を短縮でき、小型化、薄型化が成されて、諸収差、特に非点収差、歪曲収差が良好に補正された撮像レンズが得られる。【選択図】  図１
2006047858.tif 000002
【特許請求の範囲】
【請求項１】
物体側から像面側に向けて順に、
所定の口径をなす開口絞りと、物体側に凸面を向け全体として正の屈折力をもつ第１レンズと、物体側に凹面を向け全体として正の屈折力をもつ第２レンズと、物体側に凹面を向け全体として負の屈折力をもつ第３レンズと、を備え、
前記第２レンズは、物体側及び像面側の両面が非球面に形成され、
前記第３レンズは、物体側及び像面側の両面が非球面に形成され、かつ、像面側の非球面における有効径の範囲内において、曲率の向きが変化する変曲点をもつように形成されている、
ことを特徴とする撮像レンズ。
【請求項２】
前記第１レンズは、物体側に凸面を向けかつ像面側に凹面を向けたメニスカス形状に形成されている、
ことを特徴とする請求項１記載の撮像レンズ。
【請求項３】
前記第３レンズの物体側の非球面は、周辺部に向かうに連れて屈折力が大きくなるように形成されている、
ことを特徴とする請求項１又は２に記載の撮像レンズ。
【請求項４】
前記第２レンズ及び第３レンズは、樹脂材料により形成されている、
ことを特徴とする請求項１ないし３いずれかに記載の撮像レンズ。
【請求項５】
レンズ系の焦点距離をｆ、前記開口絞りから像面までのレンズ系の全長をＴＬ（空気換算距離）とするとき、下記条件式（１）を満足する、ことを特徴とする請求項１ないし４いずれかに記載の撮像レンズ。
（１）ＴＬ／ｆ＜１．４
【請求項６】
前記第１レンズのアッベ数をν1、前記第２レンズのアッベ数をν２、及び前記第３レンズのアッベ数をν３とするとき、下記条件式（２）を満足する、ことを特徴とする請求項１ないし５いずれかに記載の撮像レンズ。
（２）ν１＞４５、ν２＞４５、ν３＜４５
【請求項７】
前記第２レンズの物体側の面の曲率半径をＲ４、前記第２レンズの像面側の面の曲率半径をＲ５、前記第３レンズの物体側の面の曲率半径をＲ６、前記第３レンズの像面側の面の曲率半径をＲ７とするとき、下記条件式（３），（４）を満足する、ことを特徴とする請求項１ないし６いずれかに記載の撮像レンズ。
（３）１＜│Ｒ４│／│Ｒ５│＜２
（４）６＜│Ｒ６│／│Ｒ７│＜１０
【請求項８】
レンズ系の焦点距離をｆ、前記第２レンズと第３レンズとの光軸方向における間隔をＤ５とするとき、下記条件式（５）を満足する、ことを特徴とする請求項１ないし７いずれかに記載の撮像レンズ。
（５）Ｄ５／ｆ＜０．１５
【請求項９】
前記第２レンズの光軸方向における肉厚をＤ４、前記第３レンズの光軸方向における肉厚をＤ６とするとき、下記条件式（６）を満足する、ことを特徴とする請求項１ないし８いずれかに記載の撮像レンズ。
（６）０．４５＜Ｄ４／Ｄ６＜１．０
【発明の詳細な説明】
【技術分野】
【０００１】
本発明は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の固体撮像素子を備えたデジタルスチルカメラ、デジタルビデオカメラ等に適用される小型の撮像レンズに関し、特に携帯電話機、携帯情報端末機（ＰＤＡ）、携帯型パーソナルコンピュータ等に搭載される小型のモバイルカメラに好適な撮像レンズに関する。
【背景技術】
【０００２】
近年においては、ＣＣＤだけでなく、ＣＭＯＳ等の固体撮像素子の技術も進歩し、デジタルスチルカメラ等に用いられる固体撮像素子としては、これらＣＣＤ，ＣＭＯＳ等が併用されている。ここで、ＣＭＯＳは、一般的に受光感度が低いため、一緒に用いられる撮像レンズとしては、高性能、小型化、薄型化、低コスト化等に加えて、明るいレンズ（Ｆ値が小さいレンズ）であることが要望される。
【０００３】
ところで、これらの固体撮像素子においては、光を効率良く入射させるために、その表面にマイクロレンズが設けられている。したがって、固体撮像素子に入射する光線の角度が大き過ぎると、「ケラレ現象」を生じて光が固体撮像素子に入射しなくなるため、撮像レンズの射出瞳は撮像面からできるだけ離れており、射出角度が小さいテレセントリック光学系であることが望ましい。
【０００４】
一方、固体撮像素子の著しい進歩により、射出角度が２０°〜２４°位までの撮像レンズであれば、「ケラレ現象」を解消できるものが知られている。
また、撮像レンズと固体撮像素子との間には、色モアレ防止用のローパスフィルタ、固体撮像素子の分光感度を補正するための赤外線カットフィルタ等を配置する必要があるため、バックフォーカスをある程度大きく確保する必要がある。
【０００５】
【特許文献１】特開平０９−１３３８６０号公報
【特許文献２】特開平０５−１８８２８４号公報
【発明の開示】
【発明が解決しようとする課題】
【０００６】
ところで、上記特許文献１に記載の撮像レンズでは、最も像面側寄りに開口絞りが配置されるため、射出瞳位置が短くなり、射出角度を小さくした上で、レンズ系の全長を短くすることは困難である。
また、上記特許文献２に記載の撮像レンズでは、最も物体側に開口絞りが配置されているものの、レンズ構成、あるいは第３レンズの非球面が変曲点をもつ形状ではないため、射出角度を小さくした上で、レンズ系の全長を短くすることは困難である。
【０００７】
本発明は、上記の点に鑑みて成されたものであり、その目的とするところは、３群３枚構成という非常にシンプルな構成で、レンズの形状、非球面の形状等を適切に設定することにより、小型化、薄型化、軽量化等を図りつつも、１００万画素以上の固体撮像素子にも対応でき、携帯電話機、携帯情報端末機等に搭載されるのに適した、明るくて（Ｆ値が小さくて）、光学性能の高い撮像レンズを提供することにある。
【課題を解決するための手段】
【０００８】
本発明の撮像レンズは、物体側から像面側に向けて順に、所定の口径をなす開口絞りと、物体側に凸面を向け全体として正の屈折力をもつ第１レンズと、物体側に凹面を向け全体として正の屈折力をもつ第２レンズと、物体側に凹面を向け全体として負の屈折力をもつ第３レンズと、を備え、上記第２レンズは、物体側及び像面側の両面が非球面に形成され、上記第３レンズは、物体側及び像面側の両面が非球面に形成され、かつ、像面側の非球面における有効径の範囲内において、曲率の向きが変化する変曲点をもつように形成されている、ことを特徴としている。
この構成によれば、第１レンズ及び第２レンズに正の屈折力、第３レンズに負の屈折力をもたせることで、適切なバックフォーカスを確保しつつ、レンズ系の全長を短縮することができる。そして、短縮化、小型化と共に、第２レンズ及び第３レンズの物体側及び像面側の両面が非球面に形成され、かつ、第３レンズの像面側の非球面が有効範囲内において変曲点をもつように形成されているため、全長を短くしつつ、諸収差、特に非点収差、歪曲収差を良好に補正でき、又、射出角度を小さくすることができる。
【０００９】
上記構成において、第１レンズは、物体側に凸面を向けかつ像面側に凹面を向けたメニスカス形状に形成されている、構成を採用することができる。
この構成によれば、球面収差を良好に補正することができる。
【００１０】
上記構成において、第３レンズの物体側の非球面は、周辺部に向かうに連れて屈折力が大きくなるように形成されている、構成を採用することができる。
この構成によれば、第３レンズの変曲部では屈折力が正となるため、変曲点より外側を通過する光線は倍率色収差が悪化する傾向にあるが、周辺部に向かうに連れて屈折力を大きくすることにより、倍率色収差の悪化を抑制して、好ましい光学性能を得ることができる。
【００１１】
上記構成において、第２レンズ及び第３レンズは、樹脂材料により形成されている、構成を採用することができる。
この構成によれば、ガラス材料により形成した場合に比べて、レンズ系の軽量化、低コスト化を達成でき、特に、非球面あるいは変曲点をもつ面を容易に型成形（モールド）することができる。
【００１２】
上記構成において、レンズ系の焦点距離をｆ、開口絞りから像面までのレンズ系の全長をＴＬ（空気換算距離）とするとき、次式（１）
（１）ＴＬ／ｆ＜１．４
を満足する、構成を採用することができる。
この構成によれば、レンズ系の全長を短くでき、小型化、薄型化を達成することができる。
【００１３】
上記構成において、第１レンズのアッベ数をν1、第２レンズのアッベ数をν２、及び第３レンズのアッベ数をν３とするとき、次式（２）
（２）ν１＞４５、ν２＞４５、ν３＜４５
を満足する、構成を採用することができる。
この構成によれば、特に、軸上色収差、中心から周辺の倍率色収差を良好に補正することができ、Ｆ値が小さくて明るいレンズに対しても、高い解像力を得ることができる。
【００１４】
上記構成において、第２レンズの物体側の面の曲率半径をＲ４、第２レンズの像面側の面の曲率半径をＲ５、第３レンズの物体側の面の曲率半径をＲ６、第３レンズの像面側の面の曲率半径をＲ７とするとき、次式（３），（４）
（３）１＜│Ｒ４│／│Ｒ５│＜２
（４）６＜│Ｒ６│／│Ｒ７│＜１０
を満足する、構成を採用することができる。
この構成によれば、適切なバックフォーカスを確保しつつ、レンズ系の全長を短くできると同時に、諸収差、特に非点収差及び歪曲収差を良好に補正することができ、好ましい光学性能を得ることができる。
【００１５】
上記構成において、レンズ系の焦点距離をｆ、第２レンズと第３レンズとの光軸方向における間隔をＤ５とするとき、次式（５）
（５）Ｄ５／ｆ＜０．１５
を満足する、構成を採用することができる。
この構成によれば、レンズ系の外径寸法を小さくでき、又、諸収差、特に非点収差及び歪曲収差を良好に補正することができ、好ましい光学特性を得ることができる。
【００１６】
上記構成において、第２レンズの光軸方向における肉厚をＤ４、第３レンズの光軸方向における肉厚をＤ６とするとき、次式（６）
（６）０．４５＜Ｄ４／Ｄ６＜１．０
を満足する、構成を採用することができる。
この構成によれば、レンズ系の全長を短くしつつ、適切なバックフォーカスを確保でき、諸収差、特に非点収差を良好に補正することができ、好ましい光学性能を得ることができる。
【発明の効果】
【００１７】
上記のように、本発明の撮像レンズによれば、小型化、薄型化、軽量化、低コスト化等が行え、携帯電話機、携帯情報端末機等に搭載されるモバイルカメラに好適な撮像レンズを得ることができる。特に、ＣＣＤ等の撮像素子のサイズに応じて、レンズ系の全長を短い寸法（例えば、８ｍｍ以下）にでき、小型かつ薄型で、諸収差が良好に補正された、明るくて（Ｆ値が小さくて）、光学性能の高い撮像レンズを得ることができる。
【発明を実施するための最良の形態】
【００１８】
以下、本発明の最良の実施形態について、添付図面を参照しつつ説明する。
図１は、本発明に係る撮像レンズの一実施形態を示すレンズ系の基本構成図である。
この撮像レンズにおいては、図１に示すように、光軸方向Ｌにおいて、物体側から像面側に向けて、所定の口径をなす開口絞り４と、物体側に凸面を向け全体として正の屈折力をもつ第１レンズ１と、物体側に凹面を向け全体として正の屈折力をもつ第２レンズ２と、物体側に凹面を向け全体として負の屈折力をもつ第３レンズ３とが、順次に配列されている。また、上記の配列構成において、第３レンズ３の後方には、赤外線カットフィルタ、ローパスフィルタ等のガラスフィルタ５が配置され、その後方にＣＣＤ等の像面Ｐが配置されることになる。
すなわち、第１レンズ１により第１レンズ群が形成され、第２レンズ２により第２レンズ群が形成され、第３レンズ３により第３レンズ群が形成された、３群３枚構成の撮像レンズである。
【００１９】
ここで、開口絞り４、第１レンズ１、第２レンズ２、第３レンズ３、及びガラスフィルタ５においては、図１に示すように、それぞれの面をＳｉ（ｉ＝１〜９）、それぞれの面Ｓｉの曲率半径をＲｉ（ｉ＝１〜９）、第１レンズ１、第２レンズ２、第３レンズ３、ガラスフィルタ５のｄ線に対する屈折率をＮｉ及びアッベ数をνｉ（ｉ＝１〜４）で表す。さらに、開口絞り４〜ガラスフィルタ５までのそれぞれの光軸方向Ｌにおける間隔（肉厚、空気間隔）をＤｉ（ｉ＝１〜８）、ガラスフィルタ５〜像面ＰまでのバックフォーカスをＢＦで表す。また、上記構成をなすレンズ系の焦点距離をｆ、開口絞り４から像面Ｐまでのレンズ系の光軸方向Ｌにおける全長をＴＬ（空気換算距離）、第２レンズ２と第３レンズ３との光軸方向Ｌにおける間隔をＤ５で表す。
【００２０】
第１レンズ１は、ガラス材料又は樹脂材料により形成され、全体として正の屈折力をもつように、物体側の面Ｓ２が凸面に形成されかつ像面側の面Ｓ３が凹面に形成されたメニスカス形状のレンズである。
第２レンズ２は、樹脂材料（プラスチック）により形成され、全体として正の屈折力をもつように、物体側の面Ｓ４が凹面に形成されかつ像面側の面Ｓ５が凸面に形成されたメニスカス形状のレンズである。また、第２レンズ２の物体側の面Ｓ４及び像面側の面Ｓ５は、共に非球面に形成されている。
第３レンズ３は、樹脂材料（プラスチック）により、全体として負の屈折力をもつように、物体側の面Ｓ６が凹面に形成されかつ像面側の面Ｓ７が凹面に形成された両凹レンズである。また、第３レンズ３の物体側の面Ｓ６と像面側の面Ｓ７とは、共に非球面に形成されている。さらに、第３レンズ３の像面側の非球面Ｓ７は、有効径の範囲内において、曲率の向きが変化する変曲点をもつように形成され、又、第３レンズ３の物体側の非球面Ｓ６は、周辺部に向かうに連れて屈折力が大きくなるように形成されている。
【００２１】
このように、第１レンズ１及び第２レンズ２に正の屈折力、第３レンズ３に負の屈折力をもたせることで、適切なバックフォーカスを確保しつつ、レンズ系の全長ＴＬを短縮することができる。そして、短縮化、小型化と共に、第２レンズ２及び第３レンズ３の物体側及び像面側の両面Ｓ４，Ｓ５及びＳ６，Ｓ７を非球面に形成し、かつ、第３レンズ３の像面側の非球面Ｓ７を有効範囲内において変曲点をもつように形成しているため、全長を短くしつつ、諸収差、特に非点収差、歪曲収差を良好に補正でき、又、射出角度を小さくすることができる。
【００２２】
また、第１レンズ１をメニスカス形状のレンズとしたことにより、諸収差、特に球面収差を良好に補正することができる。
また、第３レンズ３の物体側の非球面Ｓ６を周辺部に向かうに連れて屈折力が大きくなるように形成したことにより、倍率色収差の悪化を抑制して好ましい光学性能を得ることができる。
さらに、第２レンズ２及び第３レンズ３を樹脂材料により形成したことにより、ガラス材料により形成した場合に比べて、レンズ系の軽量化、低コスト化を達成でき、特に、非球面あるいは変曲点をもつ面を容易に型成形（モールド）することができる。
【００２３】
ここで、第２レンズ２及び第３レンズ３の非球面を表す式は、次式で規定される。
Ｚ＝Ｃｙ２／［１＋（１−εＣ２ｙ２）１／２］＋Ｄｙ４＋Ｅｙ６＋Ｆｙ８＋Ｇｙ１０＋Ｈｙ１２
ただし、Ｚ：非球面の頂点における接平面から，光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ，Ｈ：非球面係数である。
【００２４】
上記構成においては、レンズ系の焦点距離ｆとレンズ系の全長ＴＬ（空気換算距離）とが、次式（１）
（１）ＴＬ／ｆ＜１．４
を満足するように形成されている。
この式は、レンズ系の光軸方向Ｌにおける寸法とレンズ系全体の適切な焦点距離との比を定めたものであり、レンズ系の薄型化に関するものである。すなわち、この条件を満たすことにより、レンズ系の全長ＴＬを短くでき、それ故にレンズ系を薄型化、小型化することができる。
【００２５】
また、上記構成においては、第１レンズ１のアッベ数ν1、第２レンズ２のアッベ数ν２、及び第３レンズ３のアッベ数ν３が、次式（２）
（２）ν１＞４５、ν２＞４５、ν３＜４５
を満足するように形成されている。
この式は、適切なアッベ数の範囲を定めたものであり、この条件を満たすことにより、諸収差、特に、軸上色収差、中心から周辺の倍率色収差を良好に補正することができ、Ｆ値が小さくて明るいレンズに対して、高い解像力を得ることができる。
【００２６】
また、上記構成においては、第２レンズ２の物体側の面Ｓ４の曲率半径Ｒ４及び像面側の面Ｓ５の曲率半径Ｒ５と、第３レンズ３の物体側の面Ｓ６の曲率半径Ｒ６及び像面側の面Ｓ７の曲率半径Ｒ７とが、それぞれ次式（３），（４）
（３）１＜│Ｒ４│／│Ｒ５│＜２
（４）６＜│Ｒ６│／│Ｒ７│＜１０
を満足するように形成されている。
この式は、第２レンズ２及び第３レンズ３における曲率半径の比を定めたものであり、この条件を満たすことにより、適切なバックフォーカスを確保しつつ、レンズ系の全長ＴＬを短くできると同時に、諸収差、特に非点収差及び歪曲収差を良好に補正することができ、好ましい光学性能を得ることができる。
【００２７】
また、上記構成において、レンズ系の焦点距離ｆ、第２レンズ２と第３レンズ３との光軸方向Ｌにおける間隔Ｄ５とが、次式（５）
（５）Ｄ５／ｆ＜０．１５
を満足するように形成されている。
この式は、第２レンズ２と第３レンズ３との光軸上の間隔を定めたものであり、この条件を満たさないと、ＣＣＤに入射する光線角度が小さくなるため有利ではあるが、レンズ系の全長ＴＬが長くなると同時に第３レンズ３の外径も大きくなり、非点収差及び歪曲収差の補正も困難となる。したがって、この条件を満たすことにより、レンズ系の外径寸法を小さくでき、又、特に非点収差及び歪曲収差を良好に補正することができ、好ましい光学特性を得ることができる。
【００２８】
さらに、上記構成において、第２レンズ２の光軸方向Ｌにおける肉厚Ｄ４と第３レンズ３の光軸方向Ｌにおける肉厚Ｄ６とが、次式（６）
（６）０．４５＜Ｄ４／Ｄ６＜１．０
を満足するように形成されている。
この式は、第２レンズ２と第３レンズ３との適切な肉厚の比を定めたものであり、この条件を満たすことにより、レンズ系の全長ＴＬを短くした上で、適切なバックフォーカスを確保でき、諸収差、特に非点収差を良好に補正することができ、好ましい光学性能を得ることができる。
【００２９】
上記構成からなる実施形態の具体的な数値による実施例を、実施例１、実施例２、実施例３として以下に示す。また、レンズ系の構成図は、実施例１の構成を図１に、実施例２の構成を図３に、実施例３の構成を図５に示し、球面収差、非点収差、歪曲収差（ディスト−ション）、倍率色収差に関する収差線図は、実施例１の結果を図２に、実施例２の結果を図４に、実施例３の結果を図６にそれぞれ示す。尚、図２、図４、及び図６において、ｄはｄ線による収差、ｇはｇ線による収差、ｃはｃ線による収差をそれぞれ示し、又、Ｓはサジタル平面での収差、Ｔはメリジオナル平面での収差を示す。
また、図３及び図５に示す構成は、基本的に図１に示す構成と同一であるため、ここでの説明は省略する。
【実施例１】
【００３０】
実施例１におけるレンズ系の基本構成は図１に示され、主な仕様諸元は表１に、種々の数値データ（設定値）は表２に、非球面に関する数値データは表３にそれぞれ示される。
この実施例においては、条件式（１）〜（６）の数値データは、
（１）ＴＬ／ｆ＝７．７２５／５．９４＝１．３０、
（２）ν１＝７０．２、ν２＝５６．４、ν３＝３０．３、
（３）│Ｒ４│／│Ｒ５│＝１．５４、
（４）│Ｒ６│／│Ｒ７│＝６．４８、
（５）Ｄ５／ｆ＝０．０１７、
（６）Ｄ４／Ｄ６＝０．６９、となる。
【００３１】
【表１】
2006047858.tif 000003
【００３２】
【表２】
2006047858.tif 000004
【００３３】
【表３】
2006047858.tif 000005
【００３４】
以上の実施例１においては、レンズ系の全長ＴＬ（開口絞り４〜像面Ｐ）が７．７２５ｍｍ（空気換算）、バックフォーカス（空気換算）が１．８９ｍｍ、Ｆ値（ＦＮｏ．）が２．８９、画角（２ω）が６２．６°となり、薄型で、全長が短く、諸収差が良好に補正された、明るくて（Ｆ値が小さくて）、光学性能の高い撮像レンズが得られる。
【実施例２】
【００３５】
実施例２におけるレンズ系の基本構成は図３に示され、主な仕様諸元は表４に、種々の数値データ（設定値）は表５に、非球面に関する数値データは表６にそれぞれ示される。
この実施例においては、条件式（１）〜（６）の数値データは、
（１）ＴＬ／ｆ＝７．６４８／５．８３＝１．３１、
（２）ν１＝７０．２、ν２＝５６．４、ν３＝３０．３、
（３）│Ｒ４│／│Ｒ５│＝１．５４、
（４）│Ｒ６│／│Ｒ７│＝７．７９、
（５）Ｄ５／ｆ＝０．０１７、
（６）Ｄ４／Ｄ６＝０．７０、となる。
【００３６】
【表４】
2006047858.tif 000006
【００３７】
【表５】
2006047858.tif 000007
【００３８】
【表６】
2006047858.tif 000008
【００３９】
以上の実施例２においては、レンズ系の全長ＴＬ（開口絞り４〜像面Ｐ）が７．６４８ｍｍ（空気換算）、バックフォーカス（空気換算）が１．８３ｍｍ、Ｆ値（ＦＮｏ．）が２．８９、画角（２ω）が６３．４°となり、薄型で、全長が短く、諸収差が良好に補正された、明るくて（Ｆ値が小さくて）、光学性能の高い撮像レンズが得られる。
【実施例３】
【００４０】
実施例３におけるレンズ系の基本構成は図５に示され、主な仕様諸元は表７に、種々の数値データ（設定値）は表８に、非球面に関する数値データは表９にそれぞれ示される。
この実施例においては、条件式（１）〜（６）の数値データは、
（１）ＴＬ／ｆ＝７．６２／５．７８＝１．３２、
（２）ν１＝７０．２、ν２＝５６．４、ν３＝３０．３、
（３）│Ｒ４│／│Ｒ５│＝１．５３、
（４）│Ｒ６│／│Ｒ７│＝９．１３、
（５）Ｄ５／ｆ＝０．０１７、
（６）Ｄ４／Ｄ６＝０．７１、となる。
【００４１】
【表７】
2006047858.tif 000009
【００４２】
【表８】
2006047858.tif 000010
【００４３】
【表９】
2006047858.tif 000011
【００４４】
以上の実施例３においては、レンズ系の全長ＴＬ（開口絞り４〜像面Ｐ）が７．６２ｍｍ（空気換算）、バックフォーカス（空気換算）が１．８５ｍｍ、Ｆ値（ＦＮｏ．）が２．８９、画角（２ω）が６４．１°となり、薄型で、全長が短く、諸収差が良好に補正された、明るくて（Ｆ値が小さくて）、光学性能の高い撮像レンズが得られる。
【産業上の利用可能性】
【００４５】
以上述べたように、本発明の撮像レンズは、ＣＣＤ、ＣＭＯＳ等の撮像素子を備えたデジタルスチルカメラ、デジタルビデオカメラ等の撮像レンズとして適用されるのは勿論のこと、特に携帯電話機、携帯型パーソナルコンピュータ、携帯情報端末機（ＰＤＡ）等に搭載される小型のモバイルカメラの撮像レンズとして好適に利用される。
【図面の簡単な説明】
【００４６】
【図１】本発明に係る撮像レンズの一実施形態（実施例１）を示す構成図である。
【図２】実施例１に係る撮像レンズにおける、球面収差、非点収差、歪曲収差、倍率色収差の各収差図を示す。
【図３】実施例２に係る撮像レンズの構成図である。
【図４】実施例２に係る撮像レンズにおける、球面収差、非点収差、歪曲収差、倍率色収差の各収差図を示す。
【図５】実施例３に係る撮像レンズの構成図である。
【図６】実施例３に係る撮像レンズにおける、球面収差、非点収差、歪曲収差、倍率色収差の各収差図を示す。
【符号の説明】
【００４７】
１  第１レンズ
２  第２レンズ
３  第３レンズ
４  開口絞り
５  ガラスフィルタ
Ｄ１〜Ｄ８  光軸上の面間隔
Ｄ５  第２レンズと第３レンズとの光軸方向における間隔
Ｄ４  第２レンズの光軸方向における肉厚
Ｄ６  第３レンズの光軸方向における肉厚
Ｐ  撮像面
Ｒ１〜Ｒ９  曲率半径
Ｓ１〜Ｓ９  面
ｆ  レンズ系の焦点距離
ＴＬ  レンズ系の全長（空気換算距離）
ＢＦ  バックフォーカス
ν１  第１レンズのアッベ数
ν２  第２レンズのアッベ数
ν３  第３レンズのアッベ数
【図１】
2006047858.tif 000012
【図２】
2006047858.tif 000013
【図３】
2006047858.tif 000014
【図４】
2006047858.tif 000015
【図５】
2006047858.tif 000016
【図６】
2006047858.tif 000017